(57)【要約】【課題】双眼鏡を用いて対象物を目視する場合の、双眼鏡の使用者の負担軽減を図ること。【解決手段】携行品を収容する空間を備えたパック部１０１と、帯形状をなし、長さ方向の一端がパック部１０１の上端から所定長さ下側の位置において固定されたショルダーストラップ１０４と、パック部１０１の上端位置に設けられて、当該上端位置に任意の携行品を固定する携行品固定部１０７と、携行品固定部１０７がショルダーストラップ１０４の固定位置から所定長さ上側に位置するようにパック部１０１を支持する支持部材としての形状維持部材と、を備えた観察用リュックサック１００を構成した。【選択図】図３
2017099728.tif 000002
【特許請求の範囲】
【請求項１】
携行品を収容する空間を備えたパック部と、
帯形状をなし、長さ方向の一端が前記パック部の上端から所定長さ下側の位置において固定されたショルダーストラップと、
前記パック部の上端位置に設けられて、当該上端位置に任意の携行品を固定する携行品固定部と、
前記携行品固定部が前記ショルダーストラップの固定位置から前記所定長さ上側に位置するように前記パック部を支持する支持部材と、
を備えたことを特徴とする観察用リュックサック。
【請求項２】
前記携行品固定部は、前記パック部の上端位置に固定された基材と、当該基材に対して角度調整可能に連結された固定板と、当該固定板に対して前記携行品を固定する取付部材と、を備えたことを特徴とする請求項１に記載の観察用リュックサック。
【請求項３】
前記パック部の側面部であって、前記ショルダーストラップの固定位置よりも下側に設けられて、当該パック部の背面部側が開放された肘サポート部を備えたことを特徴とする請求項１または２に記載の観察用リュックサック。
【請求項４】
前記パック部は、前記携行品固定部の両側方に設けられ、当該パック部の内側に向かって凹むように湾曲した凹形状をなす上肢サポート部を備えたことを特徴とする請求項１〜３のいずれか一つに記載の観察用リュックサック。
【発明の詳細な説明】
【技術分野】
【０００１】
この発明は、双眼鏡などの携行品を携行し、携行品を用いて対象物を観察する作業に用いる観察用リュックサックに関する。
【背景技術】
【０００２】
送電線の巡視業務に際しては、鉄塔本体、架空地線などの設備、送電線などの電線および碍子などの対象物を目視によって観察することにより、送電設備の異常の有無を確認する。近年の送電鉄塔は高鉄塔化が進んでおり、また、鉄塔と鉄塔との間の距離も長いため、送電線の巡視業務においては、対象物を双眼鏡を用いて観察する。近年、送電鉄塔の高鉄塔化や鉄塔間の長距離化にともない、送電設備の異常の有無の確認にかかる時間が長くなっている。作業員は、双眼鏡などの携行品を、たとえば、リュックサック（バックパック）などに入れて携行する。
【０００３】
関連する技術として、従来、たとえば、バックパックの下方部分にウエストベルトを通すスリットと、着用者の胴の背面に回した状態のウエストバッグを収容する空間とを設け、使用者がバックパックを背負った状態で着用したウエストバッグを当該使用者の胴の正面に回転させてウエストバッグの容器の内容物に容易にアクセスすることができるようにした技術があった（たとえば、下記特許文献１を参照。）。
【０００４】
また、従来、たとえば、カメラや三脚などの携行品を、リュックサックなどの持ち物や衣服などと取り外し可能に連結する連結具により、携行品を携行する際の負担を軽減し、かつ、当該携行品を容易に使用できるようにした技術があった（たとえば、下記特許文献２を参照。）。
【先行技術文献】
【特許文献】
【０００５】
【特許文献１】特表２０１４−５３４８８８号公報
【特許文献２】特許第４５９９４６３号公報
【発明の概要】
【発明が解決しようとする課題】
【０００６】
しかしながら、上述した従来の送電線の巡視業務は、作業の長時間化にともない双眼鏡を持つ作業員の腕が疲労して、集中力が低下しやすくなったり、双眼鏡の視点がブレてしまうなどして巡視の対象物の異常を見逃してしまう懸念が高くなるという問題があった。
【０００７】
この対策として、対象物を観察する時間を長くすると、より一層疲労してしまうという問題があった。また、対象物を観察する時間を長くすると、送電線の巡視業務全体にかかる時間が長くなり、作業効率が低下してしまうという問題があった。
【０００８】
また、上述した従来の技術は、送電線の巡視業務などのように、双眼鏡を用いて対象物を目視する場合の、双眼鏡の使用者の負担軽減に寄与しないという問題があった。具体的には、たとえば、上述した特許文献１や特許文献２に記載された従来の技術は、ウエストバッグに収納した携行品の出し入れは容易になるものの、双眼鏡の使用者の負担軽減には寄与しない。
【０００９】
また、山中を歩いておこなう送電線の巡視業務においては携行品の重量が増えることは作業員の負担増加の原因になるため、一般的には三脚は携行しない。このため、上述した特許文献２に記載された従来の技術は、三脚の携行にかかる負担を軽減することができるものの、双眼鏡のための三脚を携行することにより運搬重量が増えることから、山中を歩いておこなう送電線の巡視業務においては三脚を携行しながらの移動は作業員を疲労させ作業員の負担増加が増加するという問題があった。
【００１０】
この発明は、上述した従来技術による問題点を解消するため、双眼鏡を用いて対象物を目視する場合の、双眼鏡の使用者の負担軽減を図ることができる観察用リュックサックを提供することを目的とする。
【課題を解決するための手段】
【００１１】
上述した課題を解決し、目的を達成するため、この発明にかかる観察用リュックサックは、携行品を収容する空間を備えたパック部と、帯形状をなし、長さ方向の一端が前記パック部の上端から所定長さ下側の位置において固定されたショルダーストラップと、前記パック部の上端位置に設けられて、当該上端位置に任意の携行品を固定する携行品固定部と、前記携行品固定部が前記ショルダーストラップの固定位置から前記所定長さ上側に位置するように前記パック部を支持する支持部材と、を備えたことを特徴とする。
【００１２】
また、この発明にかかる観察用リュックサックは、上記の発明において、前記携行品固定部が、前記パック部の上端位置に固定された基材と、当該基材に対して角度調整可能に連結された固定板と、当該固定板に対して前記携行品を固定する取付部材と、を備えたことを特徴とする。
【００１３】
また、この発明にかかる観察用リュックサックは、上記の発明において、前記パック部の側面部であって、前記ショルダーストラップの固定位置よりも下側に設けられて、当該パック部の背面部側が開放された肘サポート部を備えたことを特徴とする。
【００１４】
また、この発明にかかる観察用リュックサックは、上記の発明において、前記パック部が、前記携行品固定部の両側方に設けられ、当該パック部の内側に向かって凹むように湾曲した凹形状をなす上肢サポート部を備えたことを特徴とする。
【発明の効果】
【００１５】
この発明にかかる観察用リュックサックによれば、双眼鏡を用いて対象物を目視する場合の、双眼鏡の使用者の負担軽減を図ることができるという効果を奏する。
【図面の簡単な説明】
【００１６】
【図１】この発明にかかる実施の形態１の観察用リュックサックの外観を示す説明図である。
【図２】観察用リュックサックの使用方法を示す説明図（その１）である。
【図３】観察用リュックサックの使用方法を示す説明図（その２）である。
【図４】観察用リュックサックの使用方法を示す説明図（その３）である。図である。
【図５】この発明にかかる実施の形態２の観察用リュックサックの外観を示す説明図である。
【図６】図５におけるＢ−Ｂ断面図である。
【発明を実施するための形態】
【００１７】
以下に添付図面を参照して、この発明にかかる観察用リュックサックの好適な実施の形態を詳細に説明する。
【００１８】
（観察用リュックサックの外観）
まず、この発明にかかる実施の形態１の観察用リュックサックの外観について説明する。図１は、この発明にかかる実施の形態１の観察用リュックサックの外観を示す説明図である。
【００１９】
図１において、この発明にかかる実施の形態１の観察用リュックサック１００は、パック部（気室）１０１を備えている。パック部１０１は、内側に携行品を収容する空間を備え、少なくとも一部に、内側と外側とを連通する開口（図示を省略する）が設けられている。開口は、たとえば、パック部１０１の正面部１０１ａや側面部１０１ｂに設けることができる。
【００２０】
開口には、ファスナー１０２（図４を参照）が設けられており、開口を任意に開閉することができる。たとえば、送電線の巡視業務に際しては、携行品として双眼鏡を携行し、この双眼鏡は開口を介してパック部１０１に出し入れすることができる。
【００２１】
パック部１０１は、たとえば、上気室および下気室のように、複数の領域に分割されていてもよい。この場合、各気室には開口やファスナーが設けられる。パック部１０１は、フロントポケットやサイドポケットなどを備えていてもよい。この場合、フロントポケットやサイドポケットにファスナーを設けてもよい。
【００２２】
パック部１０１は、側面部１０１ｂのうちの上側（観察用リュックサック１００の使用時の上側）が、内側に向かって凹むように湾曲した凹形状をなす上肢サポート部１０３とされている。上肢サポート部１０３は、両方の側面部１０１ｂに設けられており、一方の上肢サポート部１０３が他方の上肢サポート部１０３に対して下側ほど外側に広がる、略「ハ」の字形状をなすように設けられている。
【００２３】
パック部１０１には、少なくとも背面部１０１ｃ、すなわち、正面部１０１ａとは反対側の部分であって観察用リュックサック１００の使用時に使用者の背中に当たる部分に、一定の形状を維持させるための形状維持部材（図示を省略する）が設けられている。形状維持部材は、たとえば、パック部１０１の背面部１０１ｃ全体に設けられたウレタンフォーム製のパッドによって実現することができる。
【００２４】
これにより、パック部１０１の背面部１０１ｃが自立した状態となり、作業員などが支えることなく、パック部１０１の上端面１０１ｄをショルダーストラップ１０４の固定位置から所定長さ上側に位置付けることができる。この実施の形態１においては、パック部１０１の背面部１０１ｃに設けられた形状維持部材によって、この発明にかかる支持部材を実現することができる。パック部１０１は、背面部１０１ｃに限らず、全体にウレタンフォーム製のパッドなどの形状維持部材が設けられていてもよい。
【００２５】
ショルダーストラップ１０４は、パック部１０１の背面部１０１ｃに設けられている。ショルダーストラップ１０４は、観察用リュックサック１００の荷重を肩に載せるためのベルト状の部材であって、使用時には、使用者が腕を通し、使用者の肩に掛けられる。ショルダーストラップ１０４は、少なくとも、使用者が観察用リュックサック１００を背負ったときに上側となる部分が、パック部１０１の背面部１０１ｃに固定されている。
【００２６】
ショルダーストラップ１０４は、ショルダーストラップ１０４の長さを調整する調整部材１０４ａを備えている。調整部材１０４ａは、コキやコキに通されたベルトなどによって実現することができる。ショルダーストラップ１０４が調整部材１０４ａを備えていることにより、使用者の体型にあわせてショルダーストラップ１０４の長さを任意に調整することができる。
【００２７】
パック部１０１の背面部１０１ｃに対するショルダーストラップ１０４の固定位置は、当該背面部１０１ｃに対して、パック部１０１の上端（観察用リュックサック１００の使用時の上端）よりも所定長さ（図１における両方向矢印Ａを参照）下側の位置に固定されている。所定長さは、たとえば、標準的な成人男性の肩から眉間までの寸法と同程度とすることができる。
【００２８】
パック部１０１において、ショルダーストラップ１０４よりも下側の位置には、ウエストベルト１０５が設けられている。ウエストベルト１０５は、２本のベルト状の部材１０５ａによって構成されており、それぞれのベルト状の部材１０１ａの長さ方向の一端がパック部１０１に固定されている。
【００２９】
具体的に、ウエストベルト１０５は、２本のベルト状の部材１０５ａのそれぞれ、長さ方向の一端が、パック部１０１の背面部１０１ｃと両側の側面部１０１ｂとの境界位置近傍に固定され、長さ方向の他端が、パック部１０１に固定された位置から背面部１０１ｃ側に延びるように設けられている。
【００３０】
ウエストベルト１０５は、サイドリリースバックル１０５ｂを備えている。サイドリリースバックル１０５ｂは、２本のベルト状の部材１０５ａを、切り離し可能に繋ぐことにより、使用者の胴に巻き付けられる。また、サイドリリースバックル１０５ｂは、ウエストベルト１０５の長さを調整する長さ調整機能を備えている。サイドリリースバックル１０５ｂは、汎用的なものを用いることができ、その構造については説明を省略する。
【００３１】
サイドリリースバックル１０５ｂの長さ調整機能によってウエストベルト１０５の長さを調整することによって、パック部１０１の下部を腰にフィットさせることができる。これにより、作業員の体に対するパック部１０１の安定性を確保することができ、作業員の作業負担を軽減することができる。
【００３２】
パック部１０１の側面部１０１ｂであって、パック部１０１の高さ方向において、パック部１０１の背面部１０１ｃに対するショルダーストラップ１０４の固定位置とウエストベルト１０５との間の位置には、肘サポート部材１０６が設けられている。肘サポート部材１０６は、パック部１０１の側面部１０１ｂに設けられたベルト状の部材であり、正面部１０１ａ側の方が背面部側よりも高い位置に位置するように、傾斜した状態で設けられている。肘サポート部材１０６は、それぞれ、一端がパック部１０１の正面部１０１ａと両側の側面部１０１ｂとの境界位置近傍に固定され、他端がパック部１０１の背面部１０１ｃと両側の側面部１０１ｂとの境界位置近傍に固定されている。
【００３３】
パック部１０１の上端面１０１ｄには、携行品固定部１０７が設けられている。携行品固定部１０７は、基材１０８と、固定板１０９と、取付部材１１０と、を備えている。携行品固定部１０７は、上肢サポート部１０３の上端どうしの間に位置するように設けられている。基材１０８は、角柱形状あるいは板形状をなし、パック部１０１の上端面１０１ｄに固定されている。固定板１０９は、板形状をなし、一辺が、基材１０８の一辺に連結されている。
【００３４】
固定板１０９は、少なくとも上面（観察用リュックサック１００の使用時に上側となる面）に、補助部材（図示を省略する）を備えていてもよい。補助部材は、たとえば、ゴムなどの柔軟性を有し、かつ、摩擦係数の高い材料によって形成された、所定の厚さのシート状の部材によって実現することができる。あるいは、補助部材は、たとえば、所定の厚さの反発性の低いウレタンフォームによって実現してもよい。また、あるいは、補助部材は、固定板１０９自体をゴムやウレタンフォームなどによって形成することによって実現してもよい。また、あるいは、補助部材は、固定板１０９の上面を、表面性が粗くなるように加工することによって実現してもよい。
【００３５】
固定板１０９は、基材１０８に対して回動可能に連結されており、これにより基材１０８に対するチルト角を調整することができる。固定板１０９は、基材１０８に対して任意の角度をなす位置で固定することができる。具体的には、たとえば、基材１０８と固定板１０９との連結部分における材質や連結にかかる圧力などを調整し、基材１０８と取付部材１１０との間に摩擦を生じさせることによって、使用者が手で押したり引いたりして所定以上の外力が加えられた場合にのみ角度を調整することができ、手を離した位置で角度を固定することができる。
【００３６】
基材１０８と固定板１０９とは、基材１０８に対する固定板１０９のチルト角に加えて、パン角やスイーベル角を調整可能な構成であってもよい。具体的には、たとえば、基材１０８と固定板１０９とをボールジョイント（図示を省略する）を介して連結することによって実現することができる。
【００３７】
ボールジョイントは、棒状部材の一端に取り付けられた金属球を備えたボールスタッドと、金属球に球面接触するソケットとを備えて構成されている。基材１０８と固定板１０９とボールジョイントを介して連結することにより、基材１０８に対する固定板１０９の角度を、３次元方向に任意に調整することができる。
【００３８】
また、携行品固定部１０７は、基材１０８に対する固定板１０９の高さを調整する高さ調整機能を備えていてもよい。具体的には、たとえば、外管の内側に内管（あるいは棒状部材）を設け、外管に対して内管を外管の軸心方向に沿ってスライドさせることによって、基材１０８に対する固定板１０９の高さを調整することができる。
【００３９】
この場合、たとえば、外管の内周面や内管の外周面に摩擦係数の高い部材を設けて、外管の内周面と内管の外周面とを接触させることにより、基材１０８に対して固定板１０９を任意の高さで固定することができる。あるいは、外管や内管の長さ方向に沿って、外管や内管の管壁を貫通する穴を複数設け、外管の穴と内管の穴とを合わせた状態でピンなどを用いて固定することによって、基材１０８に対する固定板１０９の高さを段階的に調整することができる。
【００４０】
取付部材１１０は、ベルト状の部材１１０ａであって、固定板１０９を横断するように架け渡された状態で固定板１０９に取り付けられている。取付部材１１０は、たとえば、２本のベルト状の部材１１０ａを、所定の連結部材１１１を介して切り離し可能に連結することによって構成することができる。
【００４１】
２本のベルト状の部材１１０ａは、たとえば、ゴムなどの伸縮性のある材料を用いて形成することができる。所定の連結部材１１１は、たとえば、磁石、スナップボタン、サイドリリースバックルなどによって実現することができる。２本のベルト状の部材１１０ａは、それぞれ、一端が連結部材１１１に取り付けられ、他端が固定板１０９の端面に取り付けられている。
【００４２】
また、取付部材１１０は、たとえば、ゴムなどの伸縮性のある材料を用いて形成された１本のベルト状の部材によって構成してもよい。あるいは、取付部材１１０は、固定する携行品の形状にあわせた形状の専用の部材と、当該専用の部材を固定板１０９に固定するボルトなどの部材と、によって構成してもよい。あるいは、取付部材１１０は、２本のベルト状の部材１１０ａのみによって構成され、これらの２本のベルト状の部材１１０ａを互いに縛ることによって固定板１０９に対して携行品を固定するものであってもよい。
【００４３】
取付部材１１０は、長さを調整する長さ調整機能を備えていてもよい。取付部材１１０の長さ調整機能は、たとえば、コキやサイドリリースバックルなどによって実現することができる。また、取付部材１１０の長さ調整機能は、たとえば、凹部材と凸部材とによって構成されるスナップボタンを用いる場合、ベルト状の部材の長さ方向に沿って凹部材を複数設けることにより、凸部材を嵌め込む凹部材の位置に応じて取付部材１１０の長さ調整機能を実現することができる。
【００４４】
（観察用リュックサック１００の使用方法）
つぎに、観察用リュックサック１００の使用方法について説明する。図２、図３および図４は、観察用リュックサック１００の使用方法を示す説明図である。観察用リュックサック１００は、たとえば、送電線の巡視業務に用いることができる。
【００４５】
送電線の巡視業務に際して、作業員は、まず、パック部１０１に双眼鏡などの携行品を収納した観察用リュックサック１００を背負って、巡視対象とする鉄塔本体、架空地線などの設備、送電線などの電線および碍子などの対象物を観察する場所まで移動する。送電線の巡視業務は山中など足場が悪い場所が多い。このため、観察用リュックサック１００を用いることにより、移動中の作業者の両手を自由にすることができ、作業者の安全性を確保することができる。
【００４６】
鉄塔は、電線を支持する鉄製の塔であって、送電線の巡視業務に際して作業員は、鉄塔の変形や損傷の有無などを確認する。架空地線は、雷を受けて電線への直撃を防止することによって電線を主に雷から保護する設備であって、送電線の巡視業務に際して作業員は、架空地線の断線や亀裂の発生の有無などを確認する。碍子は、セラミックなどを用いて形成された、鉄塔などの電線の支持体と電線とを絶縁する絶縁体であって、送電線の巡視業務に際して作業員は、碍子のひび割れや欠けの有無、取り付け状態などを確認する。
【００４７】
作業員は、対象物を観察する場所まで移動すると、観察用リュックサック１００から双眼鏡２０１を取り出して、当該双眼鏡２０１を携行品固定部１０７に固定する（図２を参照）。双眼鏡２０１は、まず、固定板１０９の上に載せ、つぎに連結部材１１１によって２本のベルト状の部材１１０ａを１本のベルトに繋ぎ、その後取付部材１１０の長さを調整して固定板１０９に固定することによって、携行品固定部１０７に固定することができる。
【００４８】
２本のベルト状の部材１１０ａが、ゴムなどの伸縮性のある材料を用いて形成されている場合、当該２本のベルト状の部材１１０ａが有する伸縮性によって、双眼鏡２０１を固定板１０９に押しつけるようにして固定することができる。これによって、双眼鏡２０１を携行品固定部１０７に安定して固定することができる。
【００４９】
また、取付部材１１０をゴムなどの伸縮性のある材料を用いて形成された１本のベルト状の部材によって構成した場合、当該取付部材１１０を伸ばした状態で、取付部材１１０と固定板１０９との間に双眼鏡２０１を載置した後、取付部材１１０を元の形状に復帰させることにより、当該１本のベルト状の部材が有する伸縮性によって、双眼鏡２０１を固定板１０９に押しつけるようにして固定することができる。これによって、双眼鏡２０１を携行品固定部１０７に簡易かつ安定して固定することができる。
【００５０】
固定板１０９の上面には補助部材が設けられているため、取付部材１１０よって固定板１０９に双眼鏡２０１を固定すると、この補助部材が双眼鏡２０１の形状にあわせて変形する。これにより、双眼鏡２０１を携行品固定部１０７に安定して固定することができ、対象物の観察中に双眼鏡２０１の位置がずれてしまうことを防止できる。
【００５１】
携行品固定部１０７が高さ調整機能を備えている場合は、双眼鏡２０１の高さが作業員の目の位置あたりに一致する高さになるように、基材１０８に対する固定板１０９の高さを調整してもよい。固定板１０９の高さ、すなわち双眼鏡２０１の高さは、ショルダーストラップ１０４の長さを調整することによって調整することができる。具体的には、ショルダーストラップ１０４の長さが長くなるように調整することにより、双眼鏡２０１の高さが低くなるように調整することができる。また、具体的には、ショルダーストラップ１０４の長さが短くなるように調整することにより、双眼鏡２０１の高さが高くなるように調整することができる。
【００５２】
つぎに、背中に背負っていた観察用リュックサック１００を当該作業員の体の前に移動させ、ショルダーストラップ１０４に両腕を通す。また、ウエストベルト１０５を腰回りにわたして、サイドリリースバックル１０５ｂにより長さを調整することで、観察用リュックサック１００を作業員の胴に固定する。これにより、作業員は、観察用リュックサック１００を体の前で抱える状態となる。
【００５３】
対象物を観察する際は、観察用リュックサック１００を作業員の体の前に位置付けるため、ショルダーストラップ１０４の長さを短くすることによって固定板１０９の高さを調整した場合にも作業員は容易かつ簡単にショルダーストラップ１０４に両腕を通すことができる。これにより、作業員の肩関節の柔軟性などに左右されることなく、観察用リュックサック１００を使用することができる。
【００５４】
つぎに、作業員は、観察用リュックサック１００を当該作業員の体の前に位置付けた状態で、前方を見て双眼鏡２０１を目に当て、双眼鏡２０１の視点および焦点を対象物に合わせる（図３を参照）。このとき、基材１０８に対する固定板１０９の角度を調整することによって双眼鏡２０１の視点を合わせることにより、作業員の手のみで双眼鏡２０１を支持する場合と比較して、双眼鏡２０１の視点および焦点を対象物に合わせる作業を安定しておこなうことができる。また、基材１０８に対する固定板１０９の高さを調整しておくことにより、作業員が双眼鏡２０１を覗くために首（頭部）を動かすことを少なくし、送電線の巡視業務にかかる作業員の負担軽減を図ることができる。
【００５５】
パック部１０１の側面部１０１ｂには肘サポート部材１０６が設けられているため、双眼鏡２０１の視点および焦点を対象物に合わせる際や対象物を観察する際には、当該肘サポート部材１０６に、作業員の肘を挿入することで、作業員の肘を安定して支持することができる。肘サポート部材１０６は、正面部１０１ａ側が高く背面部１０１ｃ側が低くなるように傾斜しているため、作業員は、容易かつ簡単に肘サポート部材１０６に対して肘を出し入れすることができる。また、肘サポート部材１０６がこのように傾斜しているため、作業員は、肘サポート部材１０６に対して無理なく肘を出し入れすることができる。
【００５６】
これにより、観察が長時間化した場合にも、長時間腕を上げていることによる疲労を軽減することができる。そして、これにより、疲労に起因して集中力が欠落したり、双眼鏡２０１の視点がブレてしまうなどして、対象物の異常を見逃すことを防止できる。
【００５７】
また、パック部１０１の側面部１０１ｂには上肢サポート部１０３が設けられているため、双眼鏡２０１の視点および焦点を対象物に合わせる際や対象物を観察する際には、作業員の前腕を上肢サポート部１０３に載せることができる。これにより、観察が長時間化した場合にも、長時間腕を上げていることによる疲労を軽減することができる。そして、これにより、疲労に起因して集中力が欠落したり、双眼鏡２０１の視点がブレてしまうなどして、対象物の異常を見逃すことを防止できる。
【００５８】
また、基材１０８に対する固定板１０９の角度や高さを調整することによって双眼鏡２０１の視点および焦点を対象物に合わせることにより、作業員が記録をとるために目を双眼鏡２０１から離した場合にも、一端調整した角度を維持し、すぐに観察ができる状態に復帰することができる。これにより、記録後に再度同じ対象物を観察する際に、双眼鏡２０１の視点および焦点を容易に対象物に合わせることができる。
【００５９】
（実施の形態２）
つぎに、この発明にかかる実施の形態２の観察用リュックサックについて説明する。実施の形態２においては、上述した実施の形態１と同一部分は同一符号で示し、説明を省略する。図５は、この発明にかかる実施の形態２の観察用リュックサックの外観を示す説明図である。図６は、図５におけるＢ−Ｂ断面図である。
【００６０】
図５および図６において、この発明にかかる実施の形態２の観察用リュックサック５００は、支持部材６０１を備えている。支持部材６０１は、空気を密閉することができる空間を形成する袋状部材６０２と、当該空間を開放可能に密閉する空気栓５０１と、を備えている。袋状部材６０２は、たとえば、塩化ビニルを用いて形成することができる。空気栓５０１は、袋状部材６０２に対して空気を出し入れする通気口と、通気口を開放可能に閉塞する蓋と、袋状部材６０２からの空気の流出を防止する流入逆止弁（逆流防止弁）と、を備えている（いずれも図示を省略する）。
【００６１】
支持部材６０１は、袋状部材６０２内に空気が充填された場合に、観察用リュックサック５００の背面部１０１ｃに沿った略板形状の空間と、この空間に連続して上端面１０１ｄに沿った略板形状の空間と、を備えた略Ｌ字形状をなしている。支持部材６０１における袋状部材６０２は、観察用リュックサック５００において、図６に示すように、Ｌ字型の上下を逆にした状態で設けられている。
【００６２】
支持部材６０１における袋状部材６０２内の空間に空気を満たした状態で栓を閉じると、観察用リュックサック５００の背面部１０１ｃと上端面１０１ｄとが、空気が充填された支持部材６０１によって一定の形状を維持し、パック部１０１の背面部１０１ｃが自立した状態となる。袋状部材６０２に空気を充填した状態の観察用リュックサック５００においては、上端面１０１ｄの位置が、パック部１０１に対するショルダーストラップ１０４の固定位置よりも所定長さ分高い位置となる。
【００６３】
これにより、作業員などが支えることなく、携行品固定部１０７をショルダーストラップ１０４の固定位置から所定長さ上側に位置付けることができる。この実施の形態２においては、袋状部材６０２内に空気を入れた状態の支持部材６０１によって、この発明にかかる支持部材を実現することができる。
【００６４】
双眼鏡２０１を用いた観察をおこなわない状態においては、支持部材６０１の空気を抜くことで、ショルダーストラップ１０４の固定位置から上側の部分の体積を小さくすることができる。これにより、観察用リュックサック５００を背負っている間は、作業員の後頭部の後ろの空間を開放することができる。作業員の後頭部の後ろの空間を開放することで風通しがよくなるので、たとえば、夏場の送電線の巡視業務において、首回りが暑いことによる作業者の不快感を和らげることができる。
【００６５】
観察用リュックサック１００、５００は、上述したように送電線の巡視業務のみに用いるものではない。観察用リュックサック１００は、たとえば、野鳥を観察するバードウォッチング、天候や自然現象の観測などに用いることができる。また、携行品固定部１０７には、可視光線を利用して対象物を観察する双眼鏡２０１に限るものではなく、赤外線、Ｘ線、電波などの電磁波を捕えて対処物を観察（観測）する各種の双眼鏡２０１や望遠鏡を固定してもよい。
【００６６】
以上説明したように、この発明にかかる実施の形態の観察用リュックサック１００、５００は、携行品を収容する空間を備えたパック部１０１と、帯形状をなし、長さ方向の一端がパック部１０１の上端から所定長さ下側の位置において固定されたショルダーストラップ１０４と、パック部１０１の上端位置に設けられて、当該上端位置に任意の携行品を固定する携行品固定部１０７と、携行品固定部１０７がショルダーストラップ１０４の固定位置から所定長さ上側に位置するようにパック部１０１を支持する支持部材としての形状維持部材と、を備えたことを特徴としている。
【００６７】
この発明にかかる実施の形態の観察用リュックサック１００、５００によれば、ショルダーストラップ１０４を体の前側から肩にかけ、携行品固定部１０７によってパック部１０１の上端に双眼鏡２０１を固定した状態で、当該双眼鏡２０１を覗いて対象物を観察することができる。これにより、双眼鏡２０１を用いて対象物を目視する場合に、作業員が双眼鏡２０１のすべての重量を常時手で支えることなく対処物を観察することができるので、双眼鏡２０１の使用者の負担軽減を図ることができる。
【００６８】
そして、双眼鏡２０１の使用者である作業員の負担軽減を図ることにより、疲労に起因する集中力の低下や双眼鏡２０１の視点のブレなどが生じることを抑制することができる。これによって、集中力の低下や双眼鏡２０１の視点のブレなどが原因となって対象物の異常を見逃してしまうことを防止でき、観察精度の向上を図ることができる。
【００６９】
また、観察精度の向上を図ることにより、観察をおこなう各場所において対象物の観察にかかる時間を短くすることができる。これによって、送電線の巡視業務においては、当該巡視業務全体にかかる時間を短くすることができ、作業効率の向上を図ることができる。
【００７０】
また、この発明にかかる実施の形態の観察用リュックサック１００、５００によれば、三脚など、双眼鏡２０１を固定するために専用の道具を用いることなく、双眼鏡２０１の視点のブレが生じることを抑制することができる。これにより、双眼鏡２０１を固定するために携行品が増えることによって作業員の負担が増加することをなくし、作業員の負担軽減を図ることができる。そして、これによって、集中力の低下や双眼鏡２０１の視点のブレなどが原因となって対象物の異常を見逃してしまうことを防止でき、観察精度の向上および作業効率の向上を図ることができる。
【００７１】
また、この発明にかかる実施の形態の観察用リュックサック１００、５００は、携行品固定部１０７が、パック部１０１の上端位置に固定された基材１０８と、当該基材１０８に対して角度調整可能に連結された固定板１０９と、当該固定板１０９に対して携行品を固定する取付部材１１０と、を備えたことを特徴としている。
【００７２】
この発明にかかる実施の形態の観察用リュックサック１００、５００によれば、携行品固定部１０７によって双眼鏡２０１を安定して固定することができ、かつ、携行品固定部１０７によって固定した状態の双眼鏡２０１の向きを調整することができるので、双眼鏡２０１を携行品固定部１０７によって固定しても作業性を低下させることがない。これにより、双眼鏡２０１を用いて対象物を目視する場合に、作業員が双眼鏡２０１のすべての重量を常時手で支えることなく、かつ、双眼鏡２０１を安定させた状態で、対処物を観察することができるので、双眼鏡２０１の使用者の負担軽減を図ることができる。
【００７３】
また、この発明にかかる実施の形態の観察用リュックサック１００、５００は、パック部１０１の側面部１０１ｂであって、ショルダーストラップ１０４の固定位置よりも下側に設けられて、当該パック部１０１の背面部１０１ｃ側が開放された肘サポート部材１０６を備えたことを特徴としている。
【００７４】
この発明にかかる実施の形態の観察用リュックサック１００、５００によれば、作業員は、ショルダーストラップ１０４を体の前側から肩にかけた状態で、肘サポート部材１０６に肘を出し入れすることができる。これにより、肘サポート部材１０６に肘を入れた状態で観察をおこなうことにより、双眼鏡２０１を支えるために上げている腕の重量に起因する荷重の一部を、肘サポート部材１０６を介して肩ベルトやウエストベルト１０５に分散させることができる。これによって、作業員は、双眼鏡２０１を支えるためにすべて自力で腕を上げておかなくてもよくなり、双眼鏡２０１の使用者の負担軽減を図ることができる。
【００７５】
また、これにより、肘の位置が安定するので双眼鏡２０１の視点を一層ブレにくくすることができる。これによって、視点のブレなどが原因となって対象物の異常を見逃してしまうことを防止でき、観察精度の向上を図ることができる。また、観察精度の向上を図ることにより、観察にかかる時間を短くすることができ、作業効率の向上を図ることができる。
【００７６】
また、この発明にかかる実施の形態の観察用リュックサック１００、５００は、パック部１０１が、携行品固定部１０７の両側方に設けられ、当該パック部１０１の内側に向かって凹むように湾曲した凹形状をなす上肢サポート部１０３を備えたことを特徴としている。
【００７７】
この発明にかかる実施の形態の観察用リュックサック１００、５００によれば、作業員は、ショルダーストラップ１０４を体の前側から肩にかけた状態で、上肢サポート部１０３に前腕を載せた状態で観察をおこなうことができる。これにより、作業員は、双眼鏡２０１を支えるためにすべて自力で腕を上げておかなくてもよくなり、双眼鏡２０１の使用者の負担軽減を図ることができる。これによって、視点のブレなどが原因となって対象物の異常を見逃してしまうことを防止でき、観察精度の向上を図ることができる。また、観察精度の向上を図ることにより、観察にかかる時間を短くすることができ、作業効率の向上を図ることができる。
【産業上の利用可能性】
【００７８】
以上のように、この発明にかかる観察用リュックサックは、双眼鏡などの携行品を携行し、携行品を用いて対象物を観察する作業に用いる観察用リュックサックに有用であり、特に、山中などのように足場の悪い場所において長時間観察をおこなう作業に用いる観察用リュックサックに適している。
【符号の説明】
【００７９】
１００  観察用リュックサック
１０１  パック部
１０３  上肢サポート部
１０４  ショルダーストラップ
１０５  ウエストベルト
１０６  肘サポート部材
１０７  携行品固定部
１０８  基材
１０９  固定板
１１０  取付部材
【図１】
2017099728.tif 000003
【図２】
2017099728.tif 000004
【図３】
2017099728.tif 000005
【図４】
2017099728.tif 000006
【図５】
2017099728.tif 000007
【図６】
2017099728.tif 000008